(57)【要約】      （修正有）【課題】広告の配信先を絞り込むと共に配信時のユーザーの行動履歴を考慮してタイムリーな広告をユーザーに対して配信可能とする情報配信装置を得る。【解決手段】ユーザーの属性に応じて配信する情報（第１段階選択データ）を選択してメッセージボックスに格納する一方、ユーザーの行動を管理することで、メッセージボックスの中から閲覧制御部を介して情報データ（第２段階選択データ）を選択してユーザー側に配信可能とした配信制御部を有する情報配信装置とすることで、ユーザーに配信する情報を２段階で選別し、タイムリーな情報を得たいというユーザー側の要求を満たすとともに、情報を配信したい加盟店側（広告主）の広告効果を高める。【選択図】図１
2009265703.tif 000002
【特許請求の範囲】
【請求項１】
ユーザーが使用する表示画面を有する情報端末と、前記情報端末の表示画面の広告展開窓に表示されたメッセージをクリックすることで前記ユーザーに前記メッセージに関する詳細な情報データを配信する配信制御部とを有する装置であって、
前記配信制御部は、
ユーザーに配信したい複数の情報データを格納する配信情報格納部と、
前記情報データの配信を行うに際して配信条件により情報データを選別する情報データ選別部と、
前記ユーザーからＵＲＬへのアクセス履歴を各ユーザーに対して複数のキーワードに対応させて記憶するユーザー履歴記憶部と、
前記ユーザー履歴記憶部の各ユーザーのアクセス履歴から各ユーザーを属性別に複数のユーザーグループに分けて管理するユーザー属性管理部と、
前記情報データ選別部の配信条件と前記ユーザー属性管理部のユーザーグループの属性との照合を行って選択されたユーザーグループに属する各ユーザーへの情報データを第１段階選択データとして格納するユーザー毎に設けたメッセージボックスと、
前記ユーザーの情報端末の接続履歴を管理するユーザー行動管理部と、
前記ユーザー行動管理部の接続履歴に応じて前記メッセージボックスの中から選択した情報データを第２段階選択データとし、その要約を前記メッセージとして前記広告展開窓に表示する閲覧制御部と、
を具備して成ることを特徴とする情報配信装置。
【請求項２】
前記ユーザー履歴記憶部はアクセス回数を記憶する一方、前記情報データは同一情報に対して複数存在し、ユーザー履歴記憶部のアクセス回数により異なる情報データを所望のシナリオに沿って配信する請求項１に記載の情報配信装置。
【請求項３】
前記ユーザー行動管理部は、ユーザーの情報端末への入力キーワードを基に接続履歴を管理する請求項１に記載の情報配信装置。
【請求項４】
前記情報データ選別部の配信条件と前記ユーザー属性管理部のユーザーグループの属性との照合を行って得られたユーザーグループに関するデータを記録し、外部に出力可能にしたマーケティングデータ管理手段を有する請求項１に記載の情報配信装置。
【請求項５】
ユーザーに配信したい複数の情報データについて配信条件を付与して格納し、
前記ユーザーからＵＲＬへのアクセス履歴を複数のキーワードに対応させて記憶し、
前記アクセス履歴から各ユーザーを属性別に複数のユーザーグループに分けて管理し、
前記情報データの配信条件と前記ユーザーグループの属性との照合により第１段階選択を行ってユーザーグループに属する各ユーザーへ配信するための情報データをユーザー毎に設けたメッセージボックスに格納する一方、
前記ユーザーの情報端末についての接続行動を管理し、
前記ユーザーの接続状況に応じて前記メッセージボックスの中から第２段階選択を行って情報データを選択し、その要約をユーザーが使用する情報端末の表示画面の広告展開窓にメッセージとして表示し、
前記ユーザーが前記メッセージをクリックすることで前記メッセージに関する詳細な情報データを前記情報端末に配信する
ことを特徴とした情報配信方法。
【発明の詳細な説明】
【技術分野】
【０００１】
この発明は、商品や店舗の広告等の情報データを配信する情報配信装置及び情報配信方法に関し、特にユーザーが情報端末からインターネット上で特定のＵＲＬを閲覧するに際して表示される広告等の情報データについて、ユーザーが興味を示す内容を効率良く配信する情報配信装置及び情報配信方法に関する。
【背景技術】
【０００２】
従来、ユーザーがパーソナルコンピュータを使用しインターネットを介して情報サイトにアクセスした場合、サイト画面に広告バナーが表示され、その広告バナーをクリックすることで広告コンテンツが表示されることが行われている。すなわち、バナー広告が含まれるウェブページを閲覧者が開くと、ページ内にバナー画像が表示され、閲覧者が広告内容に興味を持つなどしてバナーをクリックすると、広告主のサイトへとジャンプする。
しかしながら、これらの広告は、不特定多数のユーザーに配信される関係上、ユーザーが興味を示さない（クリックしない）場合も多く、バナー広告が無駄になるという場合が多かった。
【０００３】
また、特許文献１に記載されるように、携帯電話を使用した商品広告の配布方法において、店舗データベースと会員データベースをマッチングさせ、場所・時間に応じた広告メールを配信することで、ユーザーが希望する特売情報や商品クーポンのみをユーザーが移動しているエリアと連動した形で自動的に入手できる広告配信方法が提案されている。
【特許文献１】特開２００２−２５９８２１
【発明の開示】
【発明が解決しようとする課題】
【０００４】
しかしながら、特許文献１に示された商品広告の配布方法によれば、ユーザーが現在いる位置を考慮し、過去におけるユーザーの購買履歴から興味あると推定される広告の送付を行うものであるが、必ずしもその時点でユーザーが必要とする若しくは興味を示している広告の配信でない場合も多い。また、広告内容についても画一的な広告データの配信にすぎなかった。すなわち、この商品広告の配布方法は、ユーザーが取得したいと思う詳細な広告データをタイムリーに提供するという面において、今なお十分なシステムではなかった。
【０００５】
本発明は、上記実情に鑑みて提案されたもので、広告の配信先を絞り込むと共に配信時のユーザーの行動履歴を考慮してタイムリーな広告をユーザーに対して配信可能とする情報配信装置及び情報配信方法を提供することを目的としている。
また、ユーザーへ情報データを配信するに際して、配信情報に興味を持ったユーザーに対しては更に内容を深めた情報データの配信を行うように、同一商品や同一店舗の広告であってもユーザーのアクセス頻度によって広告内容を変化させることで、広告に対してより興味を持たせるような広告配信を可能とする情報配信装置を提供することを目的としている。
【課題を解決するための手段】
【０００６】
上記目的を達成するため本発明は、ユーザーが使用する表示画面を有する情報端末と、前記情報端末の表示画面の広告展開窓に表示されたメッセージをクリックすることで前記ユーザーに前記メッセージに関する詳細な情報データを配信する配信制御部とを有する装置であって、次の構成を含むことを特徴としている。
前記配信制御部は、
ユーザーに配信したい複数の情報データを格納する配信情報格納部と、
前記情報データの配信を行うに際して配信条件により情報データを選別する情報データ選別部と、
前記ユーザーからＵＲＬへのアクセス履歴を各ユーザーに対して複数のキーワードに対応させて記憶するユーザー履歴記憶部と、
前記ユーザー履歴記憶部の各ユーザーのアクセス履歴から各ユーザーを属性別に複数のユーザーグループに分けて管理するユーザー属性管理部と、
前記情報データ選別部の配信条件と前記ユーザー属性管理部のユーザーグループの属性との照合を行って選択されたユーザーグループに属する各ユーザーへの情報データを第１段階選択データとして格納するユーザー毎に設けたメッセージボックスと、
前記ユーザーの情報端末の接続履歴を管理するユーザー行動管理部と、
前記ユーザー行動管理部の接続履歴に応じて前記メッセージボックスの中から情報データを選択して第２段階選択データとし、その要約を前記メッセージとして前記広告展開窓に表示する閲覧制御部と、
を具備して成る。
【０００７】
請求項２は、請求項１の情報配信装置において、前記ユーザー履歴記憶部はアクセス回数を記憶する一方、前記情報データは同一情報に対して複数存在し、ユーザー履歴記憶部のアクセス回数により異なる情報データを所望のシナリオに沿って配信することを特徴としている。
【０００８】
請求項３は、請求項１に記載の情報配信装置において、前記ユーザー行動管理部は、ユーザーの情報端末への入力キーワードを基に接続履歴を管理することを特徴としている。
【０００９】
請求項４は、請求項１に記載の情報配信装置において、前記情報データ選別部の配信条件と前記ユーザー属性管理部のユーザーグループの属性との照合を行って得られたユーザーグループに関するデータを記録し、外部に出力可能にしたマーケティングデータ管理手段を有することを特徴としている。
【００１０】
請求項５の情報配信方法は、
ユーザーに配信したい複数の情報データについて配信条件を付与して格納し、
前記ユーザーからＵＲＬへのアクセス履歴を複数のキーワードに対応させて記憶し、
前記アクセス履歴から各ユーザーを属性別に複数のユーザーグループに分けて管理し、
前記情報データの配信条件と前記ユーザーグループの属性との照合により第１段階選択を行ってユーザーグループに属する各ユーザーへ配信するための情報データをユーザー毎に設けたメッセージボックスに格納する一方、
前記ユーザーの情報端末についての接続行動を管理し、
前記ユーザーの接続状況に応じて前記メッセージボックスの中から第２段階選択を行って情報データを選択し、その要約をユーザーが使用する情報端末の表示画面の広告展開窓にメッセージとして表示し、
前記ユーザーが前記メッセージをクリックすることで前記メッセージに関する詳細な情報データを前記情報端末に配信することを特徴としている。
【発明の効果】
【００１１】
請求項１の情報配信装置及び請求項５の情報配信方法によれば、ユーザーの属性に応じて配信する情報（第１段階選択データ）を選択してメッセージボックスに格納する一方、ユーザーの行動を管理することで、メッセージボックスの中から情報データ（第２段階選択データ）を選択してユーザー側に配信可能としたので、ユーザーに配信する情報を２段階で選別することで、タイムリーな情報を得たいというユーザー側の要求を満たすとともに、情報を配信したい加盟店側（広告主）の広告効果を高めることができる。
【００１２】
請求項２の情報配信装置によれば、ユーザー履歴記憶部のアクセス回数により異なる情報データを所望のシナリオに沿って配信するので、同一情報に対して複数の異なる情報データを配信することで、ユーザーに情報に対する興味を惹起させ、情報データへのアクセス回数を増加させて加盟店側の広告効果を高めることができる。
【００１３】
請求項３の情報配信装置によれば、ユーザーの情報端末への入力キーワードを基に接続履歴を管理するので、情報データの配信時においてユーザーが興味を示している事柄を把握することができる。
【００１４】
請求項４の情報配信装置によれば、ユーザーグループに関して各グループにおける広告コンテンツへのアクセスログ等のデータを記録し、外部に出力可能にすることにより、このデータに関する情報分析を行うことで、従来のマスを前提としたマーケティング手法から、新しいマーケティングの分析システムにより新しいマーケティング分野が開拓されることが期待できる。
【発明を実施するための最良の形態】
【００１５】
本発明の情報配信装置について、図１乃至図３を参照しながら説明する。
本発明の情報配信装置は、ユーザーが使用する情報端末１の表示画面５０に、インターネットを介して情報が配信されるものであり、ユーザーが特定のＵＲＬに接続している状況下において、情報端末１の表示画面５０の広告展開窓５１に表示されたメッセージ（要約部）５２をクリックすることで、ユーザーにメッセージに関する詳細な情報データ６０が配信制御部１０から配信されるように構成されている。
【００１６】
配信制御部１０は、ユーザーに配信したい複数の情報データを格納する配信情報格納部１１と、情報データを選別する情報データ選別部１２と、ユーザーからＵＲＬへのアクセス履歴を記憶するユーザー履歴記憶部１３と、各ユーザーを属性別に複数のユーザーグループに分けて管理するユーザー属性管理部１４と、各ユーザーへの情報データを格納するメッセージボックス１５と、ユーザーの情報端末の接続状況をリアルタイムに管理するユーザー行動管理部１６と、情報データを選択してその要約をメッセージとして広告展開窓に表示する閲覧制御部１７とを具備して構成されている。
【００１７】
配信情報格納部１１へは、情報の配信を希望する加盟店（広告主）に設置される情報端末の情報入力部２から配信したい商品や店舗の情報データを入力する。同じ商品や店舗に関して、配信したい複数の情報データがある場合には、それらの配信順を決めたシナリオデータも入力しておく。また、情報データの配信先であるユーザーについての配信条件を、属性に関するキーワードを入力することで設定しておく。
【００１８】
入力された配信条件は、情報データ選別部１２に記憶され、ユーザーに対して情報データの配信を行うに際して、配信条件により情報データを選別するようになっている。
【００１９】
ユーザー履歴記憶部１３では、ユーザーがインターネットを通じてＵＲＬへアクセスした場合、そのアクセス履歴を各ユーザーに対して複数のキーワードに対応させて記憶している。例えば、あるユーザーが複数のＵＲＬを閲覧した場合、各ＵＲＬに対応するＡ，Ｂ，Ｃ，…のキーワードがユーザーに付与されて記憶されている。
【００２０】
ユーザー属性管理部１４は、ユーザー履歴記憶部１３の各ユーザーのアクセス履歴から各ユーザーを属性別に複数のユーザーグループに分け、グループ毎に複数のキーワードを付与して管理する。ユーザーの属性とは、例えば、性別や年齢、複数の興味ある事柄によりグループ分けされたユーザー群を意味している。ユーザーの興味ある事項は、ユーザー履歴記憶部１３で記憶されたアクセス履歴から判断する。
【００２１】
メッセージボックス１５は、ユーザー毎に複数個設けられており、情報データ選別部１２において配信条件（キーワード）とユーザー属性管理部１４のユーザーグループの属性（キーワード）との照合を行って選択されたユーザーグループに属する各ユーザーへの情報データを第１段階選択データ（ＲＳＳフォーマット）として格納する。この第１段階選択データは、ユーザーグループ毎に複数の情報データが割り当てられ、属性と比較することで配信順序ランキングが設定されている。
【００２２】
ユーザー行動管理部１６は、インターネットを介してユーザーの情報端末の接続履歴を管理するもので、配信を行う時間帯において、ユーザーが関心を有する事柄を検知できるようになっている。検知の方法は、例えば、ユーザーが情報端末からインターネットを介してＵＲＬに接続している状況下において、ＵＲＬの接続履歴や、ＵＲＬで検索を行って検索キーワードを入力した場合には、この検索キーワードを基に接続履歴を管理している。
【００２３】
閲覧制御部１７は、ユーザー行動管理部１６の接続履歴に応じてメッセージボックス１５の第１段階選択データから選択した情報データを第２段階選択データとし、情報端末１の表示画面５０の広告展開窓５１に第２段階選択データの情報データの要約をメッセージ５２として表示する。
【００２４】
広告展開窓５１に表示されたメッセージ（要約部）５２をクリックすることで、ユーザーの情報端末１にメッセージ５２に関する詳細な情報データ６０が配信制御部１０から配信されるように構成されている。
【００２５】
情報端末１の表示画面５０の広告展開窓５１のメッセージ５２は、ユーザー毎に２段階で選択されたものが表示される。そして、ユーザーがこの広告展開窓５１のメッセージ５２部分をクリックした際に、図３（ａ）に示す新たな広告画面６０が開き、メッセージ５２に対応するユーザー毎に選択された広告の詳細な広告データ６１が配信されて表示されるようになっている。また、広告データ６１の両側には画像広告６２のスペースが割り当てられている。
広告データ６１の続きを閲覧する場合には、「つづき」窓６３をクリックすることで図３（ｂ）に示す新たな画面７０が開き、広告データ６１の続きの広告データ７１が配信されて表示されるようになっている。広告データ７１の両側には、画面６０と同様に画像広告７２のスペースが割り当てられている。
上述した広告展開窓５１が表示されるＵＲＬ画面５０は、立ち上げ画面（トップページ）に限らず、より階層が下の画面において表示されるものであってもよい。
【００２６】
また、ユーザーが同じメッセージ５２をクリックした時、同一情報に対して複数の異なる情報データが配信可能になっている場合には、ユーザー履歴記憶部１３によりアクセス回数を記憶しているので、ユーザー履歴記憶部１３のアクセス回数により異なる情報データが記憶されているシナリオデータ（配信する順番）に従って配信される。
【００２７】
続いて、上記した情報配信装置を使用した広告配信システムの一例について、図３及び図４を参照しながら説明する。
図４の広告配信システムは、基本的な構成については図１の情報配信装置と同様であるが、ユーザーと加盟店との間でのポイント管理やカード決済、店舗利用の際のお礼メールの配信等のサービスが付加されている。図４において、図１と同じ機能を有する箇所については同一符号を付している。
【００２８】
不特定のユーザー３が使用するパーソナルコンピュータや携帯電話その他の電子端末からインターネットを介して例えば各種情報を配信する特定のＵＲＬに接続された際に、このシステムに加盟している加盟店４の広告データ（広告・告知情報）が配信制御手段１０を介して配信されるものである。
広告データの配信は、例えば、ユーザーが立ち上げ画面に設定している各種情報を配信する特定のＵＲＬ画面５０（図２）に、後述する属性情報によりグループ分けされたグループに属するユーザー毎に予め選択された広告データを配信するための広告展開窓５１を表示させ、この広告展開窓５１に広告の要点を簡略化した複数のメッセージ５２が表示されるようになっている。
【００２９】
この広告配信システムによる商品や店舗に関する広告配信を行いたい加盟店４は、加盟店が使用する電子端末に専用の広告データ入力用のソフトがダウンロードされており、加盟店側の電子端末から商品や店舗の広告データとしてテキストデータ等の広告コンテンツを広告コンテンツ入力手段２１（情報入力部２）から広告データ管理手段１１（配信情報格納部１１）に格納するようになっている。
広告データ管理手段１１には、複数の加盟店の商品・店舗データが格納されるとともに、必要に応じて広告を配信する際のユーザーに対する配信条件が格納されている。配信条件は、加盟店の広告データを配信するに際して、加盟店が希望する配信先のユーザー情報を決めておくもので、例えば、地域、性別、年齢、職業等の情報が入力される。
【００３０】
各加盟店の情報については、モール等、ショッピングや余暇を過ごすために人々が多く集まる中心的な施設から徒歩で往来できる範囲（エリア）を消費セルと定義し、消費セル毎に広告・告知の商品・サービスを扱う広告データベースが作成されている。広告・告知を行いたい店舗等を消費セル毎に収録したデータベースでは、取り扱う商品・サービスに関する情報の他、ハンディキャップを持つ者などが必要とする広告・告知情報や、店舗等へのナビゲートに資するバリアフリー情報など消費セル内の地図情報を含めた情報の標準化を図った情報が盛り込まれている。店舗情報には、ユーザーの便宜を考慮し、緯度・経度・高度情報等も盛り込まれている。
これらの広告・告知情報は、ユーザーが特定のＵＲＬに接続した場合に、一律に広告バナーを表示し、これをクリックすることで広告主のサイトにジャンプするのとは異なり、特定のＵＲＬのＵＲＬ画面５０に表示された広告展開窓５１のメッセージ５２をクリックすることで、各ユーザーに対して選択的に広告コンテンツとしてのテキストデータを配信するものである。
【００３１】
また、格納される広告コンテンツは、同じ広告であってもユーザー側からの広告データへのアクセス回数により、異なる内容についてストーリー性を持たせて配信するシナリオ型広告により構成されている。例えば、同一表品の広告を三種類用意し、初アクセスの際の配信には商品全体を説明する内容の広告、第２回目のアクセスでは他社の同種の商品と比較する広告、第３回目のアクセスでは商品内容を異なる視点から説明する内容の広告等、ストーリー性を有する所望のシナリオで配信を行うものとする。
【００３２】
ユーザー側については、このシステムを利用して広告データの提供を受けるための登録は不要であり、不特定のユーザーに対して広告配信のサービスを行うものである。不特定のユーザーが使用する各電子端末については、特定のＵＲＬに接続された場合に、ユーザー端末認識手段３１によりどの電子端末かを認識できるように構成されている。
【００３３】
また、ユーザーの電子端末からアクセスしたＵＲＬの種別やアクセス時間の履歴は、ユーザー端末認識手段３１を介してユーザーデータ管理手段１４（ユーザー属性管理部１４）に記憶され、ユーザーデータ管理手段１４において、前記履歴から各ユーザーの活動圏情報（生活ゾーン、就労ゾーン、消費ゾーン、余暇ゾーン）を予想し、これらのユーザー（顧客）の属性情報からユーザーを複数のグループに分けて管理し、各グループのアクセスログがデータとして格納されている。
また、ユーザー端末認識手段３１では、ＵＲＬの種別やアクセス時間の履歴の他、ユーザーがアクセスしているＵＲＬにキーワードを入力した場合に、そのキーワードを認識し、また、メッセージ５２をクリックした場合（メッセージに対して応答した場合）を認識して履歴として保存できるように構成されている。
【００３４】
属性情報においては、ユーザーを勤労者、非勤労者に大別し、勤労者については休日を特定する。また、ユーザー毎に特定できる活動圏は、限定的なポイントとしても、一つの消費セルのエリアと必ずしもマッチしないこと、ユーザー毎の活動圏も確定的でない要素が強いため、消費セルを隣接する消費セルを含めたもの（消費圏セル）とし、その消費圏セルを活動圏としているユーザー集団を捉えて広告・告知情報の露出単位としている。
例えば、ユーザーが通常の勤労者の場合、活動圏を居所、勤務先、アフターファイブの立ち寄り先、週末の行き先に大別し、それぞれの活動圏で必要とする広告・告知情報をアクセス時間に応じた属性情報として管理する。
そして、同じようなものに興味を持つ人は同じような行動及び消費パターンを行うという経験則から、属性情報を基にユーザーをグループ分けして管理する。グループ分けを行うに際しての属性情報の選択は、広告主が任意に決めることができるようになっている。
【００３５】
ユーザーが使用する電子端末が携帯電話である場合、現在位置を検知することでユーザーの活動範囲を特定し、属性情報として管理するようにしてもよい。
【００３６】
広告データ選択手段１２（情報データ選別部１２）は、特定のＵＲＬに接続しているユーザーに対して、ユーザーデータ管理手段１４においてどのグループに属しているかを判断し、そのグループの活動圏とその界隈に対応した複数の消費セルを関係付け、広告データ管理手段１１の広告データから一つ又は複数の最適な広告データを第１段階情報データとして選択するものである。
広告・告知情報の露出単位は、曜日、時間帯に応じて行う。例えば、休日モードに入っているユーザーへの広告露出は、それに相応しい広告・告知情報を露出する。配信を行うに際しての広告・告知情報の露出は、広告主の広告戦略の基づくものである。
【００３７】
広告データ選択手段１２によるユーザーグループと選択された広告データとのマッチング情報は、マーケティングデータ管理手段３２で管理されている。
このマッチング情報は、外部に出力可能にして広告主や広告代理店に配信可能になっている。したがって、このマッチング情報の情報分析を行うことで、従来のマスを前提としたマーケティング手法から、新しいマーケティングの分析システムにより新しいマーケティング分野が開拓されることが期待できる。
【００３８】
広告データ選択手段１２により第１段階の選択が行われた広告データは、ユーザー毎に設けられたメッセージボックス１５に格納される。
そして、閲覧制御部１７により、メッセージボックス１５に格納された広告データから、ユーザー端末認識手段３１の接続履歴に応じてメッセージボックス１５の第１段階選択データから第２段階選択データとし情報データを選択する。
ユーザーが特定のＵＲＬに接続した際に、第２段階選択データとして選択された情報データの要約が、情報端末１の表示画面５０の広告展開窓５１にメッセージ５２として表示される。
ユーザーの電子端末への配信は、配信する時間についても考慮し、ユーザーがアクセスする時間帯により異なる広告データを配信する場合もある。
【００３９】
また、広告データ選択手段１２による広告データの選択は、ユーザー端末認識手段３１によるユーザーからの同一の広告データへのアクセス履歴を考慮して行うものであり、このアクセス回数により異なる種類の広告データが予め記憶されたシナリオデータに沿って配信されるように構成されている。すなわち、同じ広告に対して５種類の情報データを用意しておき、何回目のアクセスかによってどの広告を配信するのかを予め決めておく。例えば、ユーザーが初めて広告展開窓５１のメッセージ５２をクリック（同一広告コンテンツにアクセス）した場合は、広く商品や店舗の内容を説明した一般的な広告データを配信し、２回目以降のアクセスでは、その商品や店舗に興味を持ったものと判断し、より詳細な若しくは視点を異にした広告データが配信されるようになっている。
【００４０】
ユーザーに対しては、特定のＵＲＬ上で本システムのユーザー登録を行うと共に、本広告配信システムを稼動するにあたって提携しているクレジットカード会社（ユーザー管理会社）でクレジット決済可能な会員登録を行うことで、広告配信を受けるに際して付加的なサービスが受けられるようになっている。
ユーザーが特定のＵＲＬ上で自己の電子メールアドレスを入力してユーザー登録を行うと、ユーザー端末認識手段３１がユーザーの電子メールアドレスを認識し、ユーザーデータ管理手段１４に記憶する。
そして、クレジット決済を可能とするユーザー管理会社に、氏名、住所、電子メールアドレスの他、ユーザーの同意を得て、年齢区分、性別、勤務地、電話番号、趣味等を申告して会員登録すると、ユーザー３が加盟店４の店舗でクレジットカードによる消費を行った際に、クレジットカード会社のカード決算手段４１によりカード決済が行われると、消費金額に応じて会員ユーザーに対してポイント（購買ポイント）が付与され、このポイントはポイント管理手段４２で各ユーザー別に獲得ポイントが管理される。
また、会員ユーザーが広告データを閲覧した際にも、ユーザー端末認識手段３１を介して広告へのアクセスが確認され、閲覧回数に応じてポイント（クリックポイント）が付与され、消費のポイントに加算されてポイント管理手段４２で管理される。ポイント管理手段４２で管理されるポイントは、加盟店での会員ユーザーの消費に際して支払いの一部に充当（現金に換算）することができる。
会員登録を行うことでユーザーが開示した情報は、ユーザーの属性情報を予想するためのデータとしてユーザーデータ管理手段１４に記憶される。
【００４１】
前記手続を行った会員ユーザーが加盟店でクレジットカードによる決算を行った場合、カード決済手段４１の消費履歴に基づいて、加盟店から会員登録されたユーザーの電子メールアドレス（電子端末）にお礼メールが配信される。
一方、会員ユーザーが加盟店の店舗等で消費を行った場合、カード決済手段４１、ポイント管理手段４２から消費があったことが連絡され、メッセージボックス１５内に「当店舗をご利用いただき、ありがとうございました」等のお礼文書が格納される。
そして、ユーザーデータ管理手段１４において、前記カード決済手段（ユーザー管理会社）４１から配信された電子メールアドレスと、電子端末に入力された電子メールアドレスとの照会を行い、一致した電子メールアドレスに対応する電子端末に対して、前記特定のＵＲＬに接続された際にＵＲＬ画面５０に表示される広告展開窓５１に上述したお礼メッセージ（「当店舗をご利用いただき、ありがとうございました」）５３が表示され、ユーザーが閲覧できるようになっている。
【００４２】
その結果、ユーザーの電子メールアドレスに対して直接配信されるメールに加えて、ＵＲＬの画面５０に表示される広告展開窓５１にお礼メッセージ５３が示されるので、ユーザーに対してメール内容をより印象付けることができ、ユーザーに加盟店を印象付けて広告効果を高めることができる。
また、ユーザーは、電子メールアドレスへ直接受信するお礼メール又は特定のＵＲＬを閲覧した際の広告展開窓５１で表示されるお礼メッセージ５３により、自分のカードが使用されたことが確認できるので、自己のカードが不正に使用された事態が発生した場合、不正使用に対して迅速に対処することが可能となる。
【００４３】
上述した情報配信装置及び情報配信方法によれば、配信情報を２段階で選択して、ユーザーの属性情報と活動圏情報並びに時間帯を考慮して広告・告知情報の配信を行うため、広告・告知情報に対する訴求効果を高めることができる。
【産業上の利用可能性】
【００４４】
本発明の情報配信装置及び情報配信方法によれば、ユーザーに対して、ユーザーの活動圏において、インターネットへの接続履歴に対応したユーザーが必要とする情報データを配信することができ、店舗側では購買確率の高い最適の顧客に絞って、効率良く広告を行うことができる。
【図面の簡単な説明】
【００４５】
【図１】本発明の実施例を示す情報配信装置のブロック図である。
【図２】インターネットを介して接続される特定のＵＲＬ画面を示す説明図である。
【図３】（ａ）（ｂ）はＵＲＬ画面の広告展開窓をクリックすることで表示される広告画面の説明図である。
【図４】本発明の他の実施例を示す広告配信システムのブロック図である。
【符号の説明】
【００４６】
１  情報端末
２  情報入力部
３  ユーザー
４  加盟店
１０  配信制御手段
１１  配信情報格納部（広告データ管理手段）
１２  情報データ選択部（広告データ選択手段）
１３  ユーザー履歴記憶部
１４  ユーザー属性管理部（ユーザーデータ管理手段）
１５  メッセージボックス
１６  ユーザー行動管理部
１７  閲覧制御部
２１  広告コンテンツ入力手段
３１  ユーザー端末認識手段
３２  マーケティングデータ管理手段
４１  カード決済手段（ユーザー管理会社）
４２  ポイント管理手段
５０  ＵＲＬ画面
５１  広告展開窓
５２  メッセージ
５３  お礼メッセージ
６０  広告画像
６１  広告データ
７０  広告画像
７１  広告データ
【図１】
2009265703.tif 000003
【図２】
2009265703.tif 000004
【図３】
2009265703.tif 000005
【図４】
2009265703.tif 000006